(57)【要約】      （修正有）【課題】交換時の着脱が容易なカバーを有するベリーボードを提供する。【解決手段】ポリマーからなる扁平状の発泡体１０と該発泡体の表面に設けられる弾性を有する保護カバー２０とを備え、該保護カバーは、発泡体に被包されると共に、発泡体の底面に貼り付けられるプラスチックボード２１と、該プラスチックボードに縫合され、発泡体の周縁と上面を被着する弾性布２２とを有し、該弾性布における、発泡体の周辺と対応する箇所にスライドファスナー２３が設けられることを特徴とするベリーボードを提供する。【選択図】図２
0003134371.tif 000002
【実用新案登録請求の範囲】
【請求項１】
ポリマーからなる扁平状の発泡体と、該発泡体の表面に設けられる弾性を有する保護カバーとを備え、該保護カバーは、発泡体に被包されると共に、発泡体の底面に貼り付けられるプラスチックボードと、該プラスチックボードに縫合されると共に、発泡体の周縁と上面を被着する弾性布とを有し、該弾性布における、発泡体の周辺と対応する箇所に当たる部分にスライドファスナーが設けられることを特徴とするベリーボード。
【請求項２】
前記発泡体の前端に固定孔が形成され、前記プラスチックボードと弾性布に夫々該固定孔と対応する上孔及び下孔が形成され、更に、ねじ、ナット及びコードを備えるリーシュコードを有し、該ねじは、前記下孔と固定孔に挿入されると共に、プラスチックボードの底面に位置する位置決め部を有し、該ナットは、弾性布の表面に位置する位置決め部、該位置決め部を貫通するコード溝及び螺合部を有し、該螺合部は、前記上穴と固定孔に挿入されると共に、前記ねじと螺合し、コードの一端は前記コード溝に取り付けられることを特徴とする請求項１に記載のベリーボード。
【請求項３】
前記発泡体の前端に固定孔が形成されると共に、前記プラスチックボードと弾性布に夫々該固定孔と対応する上孔と下孔が形成され、更に、ねじ、ナット及びコードを備えるリーシュコードを有し、該ナットは、該下孔及び固定孔に挿入される螺合部と、プラスチックボードの底面に位置する位置決め部を有し、該ねじは、前記弾性布の表面に位置する位置決め部と該位置決め部を貫通するコード溝を有し、該ねじは、上穴と固定孔に挿入されると共に、前記ナットの螺合部と螺合し、コードの一端は該ねじのコード溝に取り付けられることを特徴とする請求項１に記載のベリーボード。
【考案の詳細な説明】
【技術分野】
【０００１】
本考案は、特に交換時の着脱が容易なカバーを有するベリーボードに関するものである。
【背景技術】
【０００２】
サーフボードは、例えば、サーフスキーやホットドッギングボード、ベリーボードなど、様々な種類に分けられている。その内、ベリーボードは、腹ばいになって乗るタイプのサーフボードであり、他種のサーフボードより比較的に扱い易いので、若年層から高齢層まで楽しめるといった利点がある。例えば、米国特許第US 6,170,986号（特許文献１）に記載のベリーボードでは、ポリマーからなる本体を有し、該本体の表面に保護カバーが貼り付けられたものが案出されている。
【特許文献１】米国特許第US 6,106,345号
【考案の開示】
【考案が解決しようとする課題】
【０００３】
しかしながら、前記従来のベリーボードは、カバーの着脱が非常に不便であるだけでなく、好みの柄のカバーに交換することもできないので、消費者のニーズを満足させることができない。又、前記カバーが破損した場合、本体が無傷であっても、カバーの交換ができないことから、破損したカバーと共に廃棄することになるので、環境破壊に拍車をかけることになる。
【０００４】
そこで、案出されたのが本考案であって、交換時の着脱が容易なカバーを有するベリーボードを提供することを目的としている。
【課題を解決するための手段】
【０００５】
本願の請求項１の考案は、ポリマーからなる扁平状の発泡体と該発泡体の表面に設けられる弾性を有する保護カバーとを備え、該保護カバーは、発泡体に被包されると共に、発泡体の底面に貼り付けられるプラスチックボードと、該プラスチックボードに縫合され、発泡体の周縁と上面を被着する弾性布とを有し、該弾性布における、発泡体の周辺と対応する箇所にスライドファスナーが設けられることを特徴とするベリーボード、を提供する。
【０００６】
本願の請求項２の考案は、前記発泡体の前端に固定孔が形成され、前記プラスチックボードと弾性布に夫々該固定孔と対応する上孔及び下孔が形成され、
更に、ねじ、ナット及びコードを備えるリーシュコードを有し、該ねじは、前記下孔と固定孔に挿入されると共に、プラスチックボードの底面に位置する位置決め部を有し、該ナットは、弾性布の表面に位置する位置決め部、該位置決め部を貫通するコード溝及び螺合部を有し、該螺合部は、前記上穴と固定孔に挿入されると共に、前記ねじと螺合し、コードの一端は前記コード溝に取り付けられることを特徴とする請求項１に記載のベリーボード、を提供する。
【０００７】
本願の請求項３の考案は、前記発泡体の前端に固定孔が形成されると共に、前記プラスチックボードと弾性布に夫々該固定孔と対応する上孔と下孔が形成され、前記ねじ、ナット及びコードを備えるリーシュコードを有し、該ナットは、該下孔及び固定孔に挿入される螺合部とプラスチックボードの底面に位置する位置決め部を有し、該ねじは、前記弾性布の表面に位置する位置決め部と該位置決め部を貫通するコード溝を有し、該ねじは、上穴と固定孔に挿入されると共に、前記ナットの螺合部と螺合し、コードの一端は該ねじのコード溝に取り付けられることを特徴とする請求項１に記載のベリーボード、を提供する。
【考案の効果】
【０００８】
本考案のベリーボードでは、カバーにスライドファスナーが設けられることから、他のカバーと容易に交換することができるので、使用者の思いのままに新しいカバーに取り替えることができると共に、外したカバーは洗濯することができる。又、カバーが破損した場合には、破損したカバーのみを新しいカバーと交換すればよく、従来のように本体と共に廃棄する必要はないので、環境に配慮した設計であると言える。その上、本考案のカバーは弾性を有するので、前記発泡体からの着脱作業が極めて容易である。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係るベリーボードの斜視図であり、図２は本考案に係るベリーボードの分解斜視図であり、図３は本考案に係るベリーボードの断面図であり、図４は本考案に係るベリーボードのカバーを交換した状態を示す斜視図である。
【００１１】
図１及び図２に示すように、本考案の提供するベリーボード（１）は、ポリマーからなる扁平状の発泡体（１０）を備え、該発泡体（１０）の前端（１００）に固定孔（１１）が形成されると共に、該発泡体（１０）の表面に弾性を有する保護カバー（２０）が設けられる。
【００１２】
前記カバー（２０）は、発泡体（１０）を被包すると共に、プラスチックボード（２１）と、該プラスチックボード（２１）に縫合される弾性布（２２）を有し、該プラスチックボード（２１）の形状は、発泡体（１０）の底面の形状より小さい。又、該プラスチックボード（２１）は、該発泡体（１０）の底面に貼り付けられることから、発泡体（１０）の耐摩耗性及び平滑性が向上される。更に、前記弾性布（２２）は、発泡体の周縁と上面に被着されると共に、該弾性布（２２）における、発泡体（１０）の周辺と対応する箇所にスライドファスナー（２３）が設けられ、該スライドファスナー（２３）の開閉により、該発泡体（１０）に対してカバー（２０）の着脱を行う。尚、前記プラスチックボード（２１）と弾性布（２２）に夫々発泡体（１０）の前端（１００）の固定孔（１１）と対応する上孔（２２０）と下孔（２１０）が形成される。
【００１３】
図３に示すように、前記ベリーボード（１）は更に、固定孔（１１）、上孔（２２０）及び下孔（２１０）に挿設されるリーシュコード（３０）を有し、該リーシュコード（３０）は、ねじ（３１）、ナット（３２）及びコード（３３）を備え、その内、ねじ（３１）は、該下孔（２１０）と固定孔（１１）に挿入されると共に、プラスチックボード（２１）の底面に位置する位置決め部（３１０）を有し、該ナット（３２）は、弾性布（２２）の表面に位置する位置決め部（３２０）と螺合部（３２１）を有する。更に、該螺合部（３２１）は、前記上穴（２２０）と固定孔（１１）に挿入されると共に、前記ねじ（３１）を螺合させるためのねじ山を有し、前記ナット（３２）にはさらに、位置決め部（３２０）を貫通するコード溝（３２２）が形成され、前記コード（３３）の一端は、該コード溝（３２２）に取り付けられる。
【００１４】
又、前記ねじ（３１）の位置決め部（３１０）に、該位置決め部（３１０）を貫通するコード溝（図面なし）が形成されることもできるので、ねじ（３１）を前記上穴（２２０）と固定孔（１１）に挿入し、前記ナット（３２）を前記下孔（２１０）と固定孔（１１）に挿入すると、前記コード（３３）の一端をねじ（３１）のコード溝に取り付くことができる。
【００１５】
上述した通り、本考案では、ねじ（３１）とナット（３２）をそれぞれ用いることから、該リーシュコード（３０）を発泡体（１０）及びカバー（２０）から取り外し、その後、該カバー（２０）のスライドファスナー（２３）を開けることにより、該カバー（２０）を発泡体（１０）から取り外すことができるので、該カバー（２０）を洗浄する時は、図４に示すように、新しい又は他のカバー（２０Ａ）を容易に取り付けることができる。
【産業上の利用可能性】
【００１６】
本考案は上記の構成を有することから、カバーの交換が極めて容易であるので、カバーの洗浄が楽になると共に、カバーが破損した場合には、カバーのみを本体から取り外して、簡単に新品のカバーと交換することができるので、消費者のニーズに十分応えることができ、廃棄物の減少にも繋がる。
【図面の簡単な説明】
【００１７】
【図１】本考案に係るベリーボードの斜視図である。
【図２】本考案に係るベリーボードの分解斜視図である。
【図３】本考案に係るベリーボードの断面図である。
【図４】本考案に係るベリーボードのカバーを交換した状態を示す斜視図である。
【符号の説明】
【００１８】
１ ベリーボード
１０ 発泡体
１００ 前端
１１ 固定孔
２０ カバー
２０Ａ 新しい又は他のカバー
２１ プラスチックボード
２１０ 下孔
２２ 弾性布
２２０ 上穴
２３ スライドファスナー
３０リーシュコード
３１ ねじ
３１０ 位置決め部
３２ ナット
３２０ 位置決め部
３２１ 螺合部
３２２ コード溝
３３ コード
【図１】
0003134371.tif 000003
【図２】
0003134371.tif 000004
【図３】
0003134371.tif 000005
【図４】
0003134371.tif 000006
【手続補正書】
【提出日】平成19年3月22日(2007.3.22)
【手続補正１】
【補正対象書類名】実用新案登録請求の範囲
【補正対象項目名】請求項１
【補正方法】変更
【補正の内容】
【請求項１】
ポリマーからなる扁平状の発泡体と、該発泡体の表面に設けられる弾性を有する保護カバーとを備え、該保護カバーは、発泡体を被包すると共に、発泡体の底面に貼り付けられるプラスチックボードと、該プラスチックボードに縫合されると共に、発泡体の周縁と上面を被着する弾性布とを有し、該弾性布における、発泡体の周辺と対応する箇所に当たる部分にスライドファスナーが設けられることを特徴とするベリーボード。